(57)【要約】【課題】テレビ３００で復号可能なＭＰＥＧ−２方式のＴＳ信号に変換する装置をテレビ３００ごとに設けなくてもＨ．２６４方式のＴＳ信号で示される映像を複数のテレビ３００で視聴可能とすること。【解決手段】ＬＡＮインターフェイスによって、Ｈ．２６４方式で映像が符号化されたＴＳ信号がインターネット６００を介して受信され、Ｈ．２６４／ＭＰＥＧ−２トランスコーダによって、ＴＳ信号がテレビ３００で復号可能なＭＰＥＧ−２方式のＴＳ信号に変換され、地上波変調部によって、ＴＳ信号がそのＴＳ信号の放送が放送されているチャンネルまたは空きチャンネルの放送用信号に変調され、送信部によって、放送用信号が複数のテレビ３００に送信される。【選択図】図１
2007259087.tif 000002
【特許請求の範囲】
【請求項１】
第１の符号化方式で映像が符号化されたデジタル信号をインターネットを介して受信する受信手段と、
前記受信手段によって受信された前記デジタル信号を所定のテレビ受像装置で復号可能な第２の符号化方式のデジタル信号に変換する変換手段と、
前記変換手段によって変換された前記デジタル信号を、所定のチャンネルの放送無線送信用信号に変調する変調手段と、
前記変調手段によって変調された前記放送無線送信用信号を複数の前記所定のテレビ受像装置に送信する送信手段とを備える、情報中継装置。
【請求項２】
前記受信手段は、複数のデジタル信号を受信し、
前記変換手段は、前記受信手段によって受信された複数の前記デジタル信号をそれぞれ前記第２の符号化方式のデジタル信号に変換し、
前記変調手段は、前記変換手段によって変換された複数の前記デジタル信号をそれぞれ異なる所定のチャンネルの放送無線送信用信号に変調し、
前記送信手段は、前記変調手段によって変調された複数の前記放送無線送信用信号を送信する、請求項１に記載の情報中継装置。
【請求項３】
前記映像を別の映像に切替える切替指示を受信する切替指示受信手段と、
前記切替指示受信手段によって受信された前記切替指示で示される映像を受信するように、前記受信手段を制御する受信制御手段とをさらに備える、請求項１または請求項２に記載の情報中継装置。
【請求項４】
前記切替指示受信手段は、前記所定のテレビ受像装置のいずれかから前記切替指示を受信する、請求項３に記載の情報中継装置。
【請求項５】
前記映像を別の映像に切替える切替指示を受付ける機器であって本体とは別体として設けられる受信機をさらに備え、
前記切替指示受信手段は、前記受信機によって受付けられた前記切替指示を前記受信機から受信する、請求項３に記載の情報中継装置。
【請求項６】
前記受信機は、さらに、前記受信機と通信可能なカメラおよびマイクから、それぞれ、当方側映像信号および当方側音声信号を受信し、
所定の通話制御プロトコルで先方側通話機器との通信の接続を確立する通信接続確立手段と、
前記受信機から前記当方側映像信号および前記当方側音声信号を受信する第１映像音声受信手段と、
前記第１映像音声受信手段によって受信された前記当方側映像信号および前記当方側音声信号を、前記通信接続確立手段によって通信の接続が確立された前記先方側通話機器に送信する第１映像音声通信手段と、
先方側映像信号および先方側音声信号を前記先方側通話機器から受信する第２映像音声受信手段と、
前記第２映像音声受信手段によって受信された前記先方側映像信号および前記先方側音声信号を前記第２の符号化方式のデジタル信号に変換する先方側信号変換手段とをさらに備え、
前記変調手段は、前記先方側信号変換手段によって変換されたデジタル信号をさらに変調する、請求項５に記載の情報中継装置。
【請求項７】
前記受信機は、さらに、前記受信機と通信可能なコンピュータ用入力機器から操作信号を受信し、
前記受信機から前記操作信号を受信する操作信号受信手段と、
前記操作信号受信手段によって受信された前記操作信号をコンピュータに送信する操作信号送信手段と、
前記操作信号送信手段によって送信された前記操作信号に対する処理結果を前記コンピュータから受信する処理結果受信手段と、
前記処理結果受信手段によって受信された前記処理結果を前記第２の符号化方式のデジタル信号に変換する処理結果変換手段とをさらに備え、
前記変調手段は、前記処理結果変換手段によって変換されたデジタル信号をさらに変調する、請求項５に記載の情報中継装置。
【請求項８】
前記受信機は、さらに、前記受信機と通信可能なコンピュータ用入力機器から操作信号を受信し、
前記受信機から前記操作信号を受信する操作信号受信手段と、
前記操作信号受信手段によって受信された前記操作信号に基づいて、ウェブブラウザ機能を実行する機能実行手段と、
前記機能実行手段によって実行された前記ウェブブラウザ機能の実行結果を前記第２の符号化方式のデジタル信号に変換する実行結果変換手段とをさらに備え、
前記変調手段は、前記実行結果変換手段によって変換されたデジタル信号をさらに変調する、請求項５に記載の情報中継装置。
【請求項９】
前記切替指示受信手段は、建物内に敷設された同軸ケーブル、建物内に敷設された電力線、および、無線のいずれかを介して前記切替指示を受信する、請求項３から請求項８までのいずれかに記載の情報中継装置。
【請求項１０】
前記第１の符号化方式は、Ｈ．２６４であり、
前記第２の符号化方式は、ＭＰＥＧ−２である、請求項１から請求項９までのいずれかに記載の情報中継装置。
【請求項１１】
前記送信手段は、建物内に敷設された同軸ケーブル、建物内に敷設された電力線、および、無線のいずれかを介して前記放送無線送信用信号を送信する、請求項１から請求項１０までのいずれかに記載の情報中継装置。
【請求項１２】
第１の符号化方式で映像が符号化されたデジタル信号をインターネットを介して受信するステップと、
受信された前記デジタル信号を所定のテレビ受像装置で復号可能な第２の符号化方式のデジタル信号に変換するステップと、
変換された前記デジタル信号を、所定のチャンネルの放送無線送信用信号に変調するステップと、
変調された前記放送無線送信用信号を複数の前記所定のテレビ受像装置に送信するステップとを含む、情報中継方法。
【請求項１３】
情報を中継する情報中継装置と、映像を切替える切替指示を受付ける受信機とを備える情報中継システムであって、
前記情報中継装置は、
第１の符号化方式で映像が符号化されたデジタル信号をインターネットを介して受信する受信手段と、
前記受信手段によって受信された前記デジタル信号を所定のテレビ受像装置で復号可能な第２の符号化方式のデジタル信号に変換する変換手段と、
前記変換手段によって変換された前記デジタル信号を、所定のチャンネルの放送無線送信用信号に変調する変調手段と、
前記変調手段によって変調された前記放送無線送信用信号を複数の前記所定のテレビ受像装置に送信する送信手段とを備え、
前記受信機は、
前記映像を別の映像に切替える切替指示を受付ける受付手段を備え、
前記情報中継装置は、さらに、
前記切替指示を前記受信機から受信する切替指示受信手段と、
前記切替指示受信手段によって受信された前記切替指示で示される映像を受信するように、前記受信手段を制御する受信制御手段とを備える、情報中継システム。
【発明の詳細な説明】
【技術分野】
【０００１】
本発明は、情報中継装置、情報中継方法、および、情報中継システムに関し、特に、情報を中継するのに適した情報中継装置、情報中継方法、および、情報中継システムに関する。
【背景技術】
【０００２】
地上波デジタル放送の難視聴波地域対策として総務省が打出している方式の１つに、インターネットを用いたＩＰ（Internet Protocol）による地上波デジタル放送の再配信がある。
【０００３】
特許文献１には、ＣＡＴＶ（Community Antenna TeleVision）の加入者宅内から放送局に送られるデータをＣＡＴＶ局が中継をして放送局に送信する場合に、宛先アドレスやポート番号が同一であるデータを連結し、連結したデータを放送局に送信することによって、効率的なデータ転送が可能なデジタル放送システムが開示されている。
【０００４】
特許文献２には、ＩＥＥＥ（Institute of Electrical and Electronic Engineers）１３９４等の放送型ネットワークにおいて、通信帯域の確保を行なうことができ、また、通信資源を有効に利用してＩＰマルチキャスト通信を行なうことができ、確保したチャネルとＩＰマルチキャストアドレスとの対応関係を送信側、受信側で同期して認識することが可能な通信装置が開示されている。
【特許文献１】特開２００３−２５９３２６号公報
【特許文献２】特開平１０−３０８７５９号公報
【発明の開示】
【発明が解決しようとする課題】
【０００５】
ＩＰによる地上波デジタル放送の再配信において、ＨＤＴＶ（High Definition TeleVision）の画質を送るためには、地上波デジタル放送で採用されているＭＰＥＧ−２（Moving Picture Experts Group phase 2）方式では圧縮率が不十分であり、Ｈ．２６４方式を用いる必要がある。
【０００６】
通常の地上波デジタル放送用のチューナが搭載されたテレビにはＭＰＥＧ−２デコーダが設けられており、Ｈ．２６４デコーダは設けられていない。このため、Ｈ．２６４方式を用いたＩＰによる再配信で難視聴地域に対応する場合、Ｈ．２６４デコーダを搭載したＳＴＢ（Set Top Box）を各テレビごとに設けなければならないといった問題が生じる。
【０００７】
特許文献１および特許文献２に記載の技術を用いたとしても、上述した問題点を解決することはできない。
【０００８】
この発明は上述の問題点を解決するためになされたもので、この発明の目的の１つは、テレビ受像装置で復号可能な符号化方式のデジタル信号に変換する装置をテレビ受像装置ごとに設けなくてもデジタル信号で示される映像をテレビ受像装置で視聴可能とすることが可能な情報中継装置、情報中継方法、および、情報中継システムを提供することである。
【課題を解決するための手段】
【０００９】
上述した課題を解決するために、この発明のある局面に従えば、情報中継装置は、受信部と、変換部と、変調部と、送信部とを備える。
【００１０】
受信部は、第１の符号化方式で映像が符号化されたデジタル信号をインターネットを介して受信する。変換部は、受信部によって受信されたデジタル信号を所定のテレビ受像装置で復号可能な第２の符号化方式のデジタル信号に変換する。変調部は、変換部によって変換されたデジタル信号を、所定のチャンネルの放送無線送信用信号に変調する。送信部は、変調部によって変調された放送無線送信用信号を複数の所定のテレビ受像装置に送信する。
【００１１】
この発明によれば、情報中継装置によって、第１の符号化方式で映像が符号化されたデジタル信号がインターネットを介して受信され、受信されたデジタル信号が所定のテレビ受像装置で復号可能な第２の符号化方式のデジタル信号に変換され、変換されたデジタル信号が所定のチャンネルの放送無線送信用信号に変調され、変調された放送無線送信用信号が複数の所定のテレビ受像装置に送信される。その結果、テレビ受像装置で復号可能な第２の符号化方式のデジタル信号に変換する装置を所定のテレビ受像装置ごとに設けなくても第１の符号化方式のデジタル信号で示される映像を複数の所定のテレビ受像装置で視聴可能とすることが可能な情報中継装置を提供することができる。
【００１２】
好ましくは、受信部は、複数のデジタル信号を受信する。変換部は、受信部によって受信された複数のデジタル信号をそれぞれ第２の符号化方式のデジタル信号に変換する。変調部は、変換部によって変換された複数のデジタル信号をそれぞれ異なる所定のチャンネルの放送無線送信用信号に変調する。送信部は、変調部によって変調された複数の放送無線送信用信号を送信する。
【００１３】
この発明によれば、情報中継装置によって複数のデジタル信号が受信され、受信された複数のデジタル信号がそれぞれ第２の符号化方式のデジタル信号に変換され、変換された複数のデジタル信号がそれぞれ異なる所定のチャンネルの放送無線送信用信号に変調され、変調された複数の放送無線送信用信号が送信される。その結果、複数のデジタル信号で示される映像をそれぞれ複数の所定のテレビ受像装置で視聴可能とすることができる。
【００１４】
好ましくは、情報中継装置は、切替指示受信部と、受信制御部とをさらに備える。切替指示受信部は、映像を別の映像に切替える切替指示を受信する。受信制御部は、切替指示受信部によって受信された切替指示で示される映像を受信するように、受信部を制御する。
【００１５】
この発明によれば、情報中継装置によって、映像を別の映像に切替える切替指示が受信され、受信された切替指示で示される映像を受信するように、受信部が制御される。その結果、切替指示に応じた映像を所定のテレビ受像装置で視聴可能とすることができる。
【００１６】
さらに好ましくは、切替指示受信部は、所定のテレビ受像装置のいずれかから切替指示を受信する。
【００１７】
この発明によれば、所定のテレビ受像装置に予め備えられたスイッチやリモコンなどから切替指示が入力される。このため、切替指示を受信するための特別な構成を備える必要がない。その結果、コストを掛けずに、切替指示に応じた映像を所定のテレビ受像装置で視聴可能とすることができる。
【００１８】
さらに好ましくは、映像を別の映像に切替える切替指示を受付ける機器であって本体とは別体として設けられる受信機をさらに備える。切替指示受信部は、受信機によって受付けられた切替指示を受信機から受信する。
【００１９】
この発明によれば、テレビ受像装置の近傍に設置される専用の受信機を用いて切替指示が受付けられる。このため、どのような所定のテレビ受像装置であっても、テレビ受像装置と切替指示受信部との間で信号をやり取りするのではなくて、受信機と切替指示受信部との間で信号がやり取りされるので、やり取りされる信号を予め定められた信号とすることができる。その結果、切替指示のやり取りを容易に行なうことができる。
【００２０】
さらに好ましくは、受信機は、さらに、受信機と通信可能なカメラおよびマイクから、それぞれ、当方側映像信号および当方側音声信号を受信する。情報中継装置は、通信接続確立部と、第１映像音声受信部と、第１映像音声通信部と、第２映像音声受信部と、先方側信号変換部とをさらに備える。
【００２１】
通信接続確立部は、所定の通話制御プロトコルで先方側通話機器との通信の接続を確立する。第１映像音声受信部は、受信機から当方側映像信号および当方側音声信号を受信する。第１映像音声通信部は、第１映像音声受信部によって受信された当方側映像信号および当方側音声信号を、通信接続確立部によって通信の接続が確立された先方側通話機器に送信する。
【００２２】
第２映像音声受信部は、先方側映像信号および先方側音声信号を先方側通話機器から受信する。先方側信号変換部は、第２映像音声受信部によって受信された先方側映像信号および先方側音声信号を第２の符号化方式のデジタル信号に変換する。変調部は、先方側信号変換部によって変換されたデジタル信号をさらに変調する。
【００２３】
この発明によれば、所定の通話制御プロトコルで先方側通話機器との通信の接続が確立され、カメラおよびマイクから受信された当方側映像信号および当方側音声信号が受信機から受信され、受信された当方側映像信号および当方側音声信号が、通信の接続が確立された先方側通話機器に送信され、先方側映像信号および先方側音声信号が先方側通話機器から受信され、受信された先方側映像信号および先方側音声信号が第２の符号化方式のデジタル信号に変換され、変換されたデジタル信号が放送無線送信用信号に変調される。このため、カメラおよびマイクから入力された当方の映像および音声が先方に送信され、先方の映像および音声がテレビ受像装置に送信される。その結果、当方の映像および音声を先方で出力させることができ、先方の映像および音声をテレビ受像装置で視聴可能とすることができる。
【００２４】
さらに好ましくは、受信機は、さらに、受信機と通信可能なコンピュータ用入力機器から操作信号を受信する。通信中継装置は、操作信号受信部と、操作信号送信部と、処理結果受信部と、処理結果変換部とをさらに備える。
【００２５】
操作信号受信部は、受信機から操作信号を受信する。操作信号送信部は、操作信号受信部によって受信された操作信号をコンピュータに送信する。処理結果受信部は、操作信号送信部によって送信された操作信号に対する処理結果をコンピュータから受信する。処理結果変換部は、処理結果受信部によって受信された処理結果を第２の符号化方式のデジタル信号に変換する。変調部は、処理結果変換部によって変換されたデジタル信号をさらに変調する。
【００２６】
この発明によれば、情報中継装置によって、受信機によって受信されたコンピュータ用入力機器からの操作信号が受信機から受信され、受信された操作信号がコンピュータに送信され、送信された操作信号に対する処理結果がコンピュータから受信され、受信された処理結果が第２の符号化方式のデジタル信号に変換され、変換されたデジタル信号がさらに放送無線送信用信号に変調される。このため、コンピュータ用入力機器から入力された操作信号が受信機および情報中継装置を介してコンピュータに入力され、コンピュータでの操作信号に対する処理結果が情報中継装置を介してテレビ受像装置に送信される。その結果、テレビ受像装置をコンピュータのディスプレイのように用いることができる。
【００２７】
さらに好ましくは、受信機は、さらに、受信機と通信可能なコンピュータ用入力機器から操作信号を受信する。情報中継装置は、操作信号受信部と、機能実行部と、実行結果変換部とをさらに備える。操作信号受信部は、受信機から操作信号を受信する。機能実行部は、操作信号受信部によって受信された操作信号に基づいて、ウェブブラウザ機能を実行する。実行結果変換部は、機能実行部によって実行されたウェブブラウザ機能の実行結果を第２の符号化方式のデジタル信号に変換する。変調部は、実行結果変換部によって変換されたデジタル信号をさらに変調する。
【００２８】
この発明によれば、情報中継装置によって、受信機によって受信されたコンピュータ用入力機器からの操作信号が受信機から受信され、受信された操作信号に基づいて、所定の機能が実行され、実行された所定の機能の実行結果が第２の符号化方式のデジタル信号に変換され、変換されたデジタル信号がさらに放送無線送信用信号に変調される。このため、コンピュータ用入力機器から入力された操作信号が受信機を介して情報中継装置に入力され、情報中継装置によって実行された所定の機能の実行結果がテレビ受像装置に送信される。その結果、テレビ受像装置を所定の機能の表示結果を表示させるためのディスプレイのように用いることができる。
【００２９】
さらに好ましくは、切替指示受信部は、建物内に敷設された同軸ケーブル、建物内に敷設された電力線、および、無線のいずれかを介して切替指示を受信する。
【００３０】
この発明によれば、新たに切替指示を受信するためのケーブルを敷設しなくても切替指示を受信することができる。このため、情報中継装置を導入する際のコストを抑えることができる。
【００３１】
好ましくは、第１の符号化方式は、Ｈ．２６４であり、第２の符号化方式は、ＭＰＥＧ−２である。
【００３２】
好ましくは、送信部は、建物内に敷設された同軸ケーブル、建物内に敷設された電力線、および、無線のいずれかを介して放送無線送信用信号を送信する。
【００３３】
この発明の他の局面に従えば、情報中継方法は、第１の符号化方式で映像が符号化されたデジタル信号をインターネットを介して受信するステップと、受信されたデジタル信号を所定のテレビ受像装置で復号可能な第２の符号化方式のデジタル信号に変換するステップと、変換されたデジタル信号を、所定のチャンネルの放送無線送信用信号に変調するステップと、変調された放送無線送信用信号を複数の所定のテレビ受像装置に送信するステップとを含む。
【００３４】
この発明によれば、テレビ受像装置で復号可能な第２の符号化方式のデジタル信号に変換する装置を所定のテレビ受像装置ごとに設けなくても第１の符号化方式のデジタル信号で示される映像を複数の所定のテレビ受像装置で視聴可能とすることが可能な情報中継方法を提供することができる。
【００３５】
この発明のさらに他の局面に従えば、情報中継システムは、情報を中継する情報中継装置と、映像を切替える切替指示を受付ける受信機とを備える。情報中継装置は、受信部と、変換部と、変調部と、送信部とを備える。受信機は、受付部を備える。情報中継装置は、さらに、切替指示受信部と、受信制御部とを備える。
【００３６】
受信部は、第１の符号化方式で映像が符号化されたデジタル信号をインターネットを介して受信する。変換部は、受信部によって受信されたデジタル信号を所定のテレビ受像装置で復号可能な第２の符号化方式のデジタル信号に変換する。変調部は、変換部によって変換されたデジタル信号を、所定のチャンネルの放送無線送信用信号に変調する。送信部は、変調部によって変調された放送無線送信用信号を複数の所定のテレビ受像装置に送信する。受付部は、映像を別の映像に切替える切替指示を受付ける。切替指示受信部は、切替指示を受信機から受信する。受信制御部は、切替指示受信部によって受信された切替指示で示される映像を受信するように、受信部を制御する。
【００３７】
この発明によれば、情報中継装置によって、第１の符号化方式で映像が符号化されたデジタル信号がインターネットを介して受信され、受信されたデジタル信号が所定のテレビ受像装置で復号可能な第２の符号化方式のデジタル信号に変換され、変換されたデジタル信号が所定のチャンネルの放送無線送信用信号に変調され、変調された放送無線送信用信号が複数の所定のテレビ受像装置に送信され、映像を別の映像に切替える切替指示が受信され、受信された切替指示で示される映像を受信するように、受信部が制御される。その結果、テレビ受像装置で復号可能な第２の符号化方式のデジタル信号に変換する装置を所定のテレビ受像装置ごとに設けなくても第１の符号化方式のデジタル信号で示される映像であって切替指示に応じた映像を複数の所定のテレビ受像装置で視聴可能とすることが可能な情報中継システムを提供することができる。
【発明を実施するための最良の形態】
【００３８】
以下、この発明の実施の形態について、図面を参照しながら詳細に説明する。なお、図中の同一または相当部分については、同一符号を付してその説明は繰返さない。
【００３９】
図１は、この発明の実施の形態におけるホームゲートウェイシステムの概略を説明するための概略図である。
【００４０】
図１を参照して、ホームゲートウェイシステムは、ホームゲートウェイ１００と、トランシーバ２００Ａ〜２００Ｃとを含む。ホームゲートウェイ１００とトランシーバ２００Ａ〜２００Ｃとの間は、混合器７１０および分配器７２０を介して建物１０に予め敷設された同軸ケーブル７３０で接続される。
【００４１】
トランシーバ２００Ａ〜２００Ｃは、それぞれ、テレビ３００Ａ〜３００Ｃの上やテレビラックの中など、テレビ３００Ａ〜３００Ｃの近傍に設置される。
【００４２】
建物１０には、ホームゲートウェイシステムが設置される前に、混合器７１０、分配器７２０、同軸ケーブル７３０、地上波放送用アンテナ７４０、衛星波放送用アンテナ７５０、および、テレビ３００Ａ〜３００Ｃが備えられている。
【００４３】
地上波放送用アンテナ７４０または衛星波放送用アンテナ７５０で受信された放送信号は、混合器７１０および分配器７２０を介して同軸ケーブル７３０で、テレビ３００Ａ〜３００Ｃに入力される。これによって、ユーザが、テレビ３００Ａ〜３００Ｃで、地上波放送や衛星波放送を視聴することが可能となる。
【００４４】
ここで、地上波放送用アンテナ７４０や衛星波放送用アンテナ７５０で地上波放送や衛星波放送が受信できる場合は、特に不都合は発生しない。しかし、難視聴波地域などで地上波放送用アンテナ７４０や衛星波放送用アンテナ７５０で地上波放送や衛星波放送が受信できない場合がある。以下、本実施の形態においては、地上波デジタル放送について説明する。
【００４５】
このような場合に、本実施の形態のように、ホームゲートウェイ１００が設けられる。そして、地上波デジタル放送を受信できる地上波デジタル放送用アンテナ４１０で受信された地上波デジタル放送の放送信号が、ＭＰＥＧ−２／Ｈ．２６４トランスコーダ４００で、ＭＰＥＧ−２方式のデジタル信号からＨ．２６４方式のデジタル信号に変換され、インターネット６００を介して、ホームゲートウェイ１００にＩＰのマルチキャストで再配信される。Ｈ．２６４方式のデジタル信号に変換する理由は、ＩＰ再配信する場合に、ＭＰＥＧ−２方式ではストリーム配信するには圧縮率が不足するためである。
【００４６】
ホームゲートウェイ１００で受信されたデジタル信号は、放送を無線で送信するための放送信号に変換され、混合器７１０および分配器７２０を介して、同軸ケーブル７３０で、各テレビ３００Ａ〜３００Ｃに送信される。
【００４７】
同様に、ＶＯＤ（Video On Demand）サーバからの映像のデジタル信号も、インターネット６００を介して、ホームゲートウェイ１００にＩＰのユニキャストで配信される。
【００４８】
図２は、この発明の実施の形態におけるホームゲートウェイシステムの機能の概略を示す機能ブロック図である。
【００４９】
図２を参照して、ホームゲートウェイシステムのホームゲートウェイ１００は、ＣＰＵ（Central Processing Unit）１１０と、Ｈ．２６４／ＭＰＥＧ−２トランスコーダ１１１と、映像合成部１１３と、グラフィックスコントローラ１１４と、ＭＰＥＧ−２エンコーダ１１５と、チャンネル指定部１１６と、地上波変調部１４１と、送信部１４２と、ＬＡＮ（Local Area Network）インターフェイス１５１と、トランシーバインターフェイス１５２と、ＩＰ電話インターフェイス１５３とを含む。
【００５０】
ホームゲートウェイシステムのトランシーバ２００は、ＬＡＮインターフェイス２５１と、トランシーバインターフェイス２５２と、リモコンインターフェイス２５３と、無線ＬＡＮインターフェイス２５４と、キーボード・マウスインターフェイス２５５とを含む。
【００５１】
ＬＡＮインターフェイス１５１は、インターネット６００から受信したＨ．２６４方式のデジタル信号をＨ．２６４／ＭＰＥＧ−２トランスコーダ１１１に出力する。また、ＬＡＮインターフェイス１５１は、インターネット６００から受信したＨ．２６４方式以外のデジタル信号をＣＰＵ１１０に出力する。また、ＬＡＮインターフェイス１５１は、ＣＰＵ１１０から受けたデジタル信号を、インターネット６００を介して、ＣＰＵ１１０から指定された宛先に送信する。
【００５２】
なお、ここでは、ＬＡＮインターフェイス１５１は、ＬＡＮを介してインターネットに接続されるが、これに限定されず、ＬＡＮを介さずに直接インターネットに接続されるような構成としてもよい。
【００５３】
Ｈ．２６４／ＭＰＥＧ−２トランスコーダ１１１は、ＬＡＮインターフェイス１５１から入力されたＨ．２６４方式のデジタル信号をＭＰＥＧ−２方式のＴＳ（Transport Stream）信号に変換して、変換したデジタル信号を映像合成部１１３に出力する。
【００５４】
なお、Ｈ．２６４／ＭＰＥＧ−２トランスコーダ１１１は、Ｈ．２６４方式からＭＰＥＧ−２方式に直接変換するものに限定されず、他の信号の形式を介してＭＰＥＧ−２方式に変換するものであってもよい。
【００５５】
グラフィックコントローラ１１４は、ＣＰＵ１１０から受けた信号を映像信号に変換して、変換した映像信号をＭＰＥＧ−２エンコーダ１１５に出力する。ＭＰＥＧ−２エンコーダ１１５は、グラフィックコントローラから受けた映像信号をＭＰＥＧ−２方式のデジタル信号に符号化して、ＭＰＥＧ−２方式に符号化したデジタル信号を映像合成部１１３に出力する。
【００５６】
映像合成部１１３は、Ｈ．２６４／ＭＰＥＧ−２トランスコーダ１１１およびＭＰＥＧ−２エンコーダ１１５から受けたデジタル信号で示される映像を、ＣＰＵ１１０による制御に従って、合成してまたは合成せずにそのまま、地上波変調部１４１に出力する。
【００５７】
チャンネル指定部１１６は、ＣＰＵ１１０により制御されて、映像合成部１１３から地上波変調部１４１に受け渡される合成された映像を示すデジタル信号または合成されずにそのまま出力された少なくとも１つのデジタル信号を、それぞれ、いずれのチャンネルに変調するかを、地上波変調部１４１に指示する。
【００５８】
地上波変調部１４１は、映像合成部１１３から出力された合成された映像を示すデジタル信号または合成されずにそのまま出力された少なくとも１つのデジタル信号を、チャンネル指定部１１６から指示されたチャンネルに、それぞれ所定の変調方式の放送用信号に変調して、変調した放送用信号を送信部１４２に出力する。
【００５９】
所定の変調方式は、本実施の形態においては、地上波デジタル放送の変調方式と同じＯＦＤＭ（Orthogonal Frequency Division Multiplexing、直交波周波数分割多重）方式である。
【００６０】
送信部１４２は、地上波変調部１４１から受けたＯＦＤＭ信号を建物１０の混合器７１０に出力する。これによって、ホームゲートウェイ１００から出力されたＯＦＤＭ信号は、混合器で他のチャンネルの放送信号と混合され、建物１０内の分配器７２０および同軸ケーブル７３０で各部屋に分配される。
【００６１】
ＣＰＵ１１０は、メモリに記憶された所定のプログラムに従って、メモリをワークエリアとして使用して、所定の処理を行なったり、ホームゲートウェイ１００の各部を制御して、所定の動作を行なわせたりする。
【００６２】
トランシーバインターフェイス１５２は、トランシーバ２００から同軸ケーブル７３０を介して信号を受けて、受けた信号をＣＰＵ１１０に出力する。また、トランシーバインターフェイス１５２は、ＣＰＵ１１０から受けた信号を同軸ケーブル７３０を介してトランシーバ２００に出力する。
【００６３】
ＣＰＵ１１０は、トランシーバインターフェイス１５２から受けた信号に基づいた処理を行なう。また、ＣＰＵ１１０は、所定の処理を行なった処理結果の信号を、トランシーバインターフェイス１５２を制御して、トランシーバ２００に送信する。
【００６４】
ＩＰ電話インターフェイス１５３は、電話機８５０から音声信号や制御信号などの信号を受けて、受けた信号をＣＰＵ１１０に出力する。また、ＩＰ電話インターフェイス１５３は、ＣＰＵ１１０から受けた音声信号や制御信号などの信号を電話機８５０に出力する。
【００６５】
ＣＰＵ１１０は、ローカルＳＩＰ（Session Initiation Protocol）サーバ機能を有する。ＳＩＰとは、ＶｏＩＰ（Voice over Internet Protocol）を応用したＩＰ電話で用いられる通話制御プロトコルである。ＶｏＩＰとは、インターネットやイントラネットなどのＴＣＰ／ＩＰ（Transmission Control Protocol/Internet Protocol）ネットワークを使って音声データを送受信するためのプロトコルである。
【００６６】
つまり、ＣＰＵ１１０は、ＬＡＮインターフェイス１５１を介してインターネット６００と接続された外部の電話機と、ＩＰ電話インターフェイス１５３に接続された建物１０内の電話機８５０とのＩＰ電話の中継をする。
【００６７】
ＬＡＮインターフェイス２５１とテレビ３００とは、ＬＡＮケーブルで接続される。ＬＡＮインターフェイス２５１は、テレビ３００から信号を受けて、受けた信号をトランシーバインタフェイス２５２に出力する。また、ＬＡＮインターフェイス２５１は、トランシーバインターフェイス２５２から受けた信号をテレビ３００に出力する。
【００６８】
リモコンインターフェイス２５３は、リモコン３１０から信号を赤外線で受けて、受けた信号をトランシーバインタフェイス２５２に出力する。
【００６９】
無線ＬＡＮインターフェイス２５４は、カメラ８１０およびヘッドセット８２０からそれぞれ映像信号および音声信号を無線で受けて、受けた信号をトランシーバ２５２に出力する。
【００７０】
キーボート・マウスインターフェイス２５５は、キーボード８３０およびマウス８４０からそれぞれ操作信号を無線で受けて、受けた信号をトランシーバ２５２に出力する。
【００７１】
トランシーバ２００のトランシーバインターフェイス２５２は、ＬＡＮインターフェイス２５１、リモコンインターフェイス２５３、無線ＬＡＮインターフェイス２５４、および、キーボード・マウスインターフェイス２５５からそれぞれ信号を受けて、受けた信号を、同軸ケーブル７３０を介して、ホームゲートウェイ１００のトランシーバインターフェイス１５２に出力する。また、トランシーバ２００のトランシーバインターフェイス２５２は、ホームゲートウェイ１００のトランシーバインターフェイス１５２から同軸ケーブル７３０を介して受けた信号をＬＡＮインターフェイス２５１に出力する。
【００７２】
図３は、この実施の形態におけるホームゲートウェイシステムでの再配信映像の視聴について説明するための図である。
【００７３】
図３を参照して、リモコン３１０Ａは、ユーザによるＮチャンネルを選択するためのボタンの操作に応じて、テレビ３００Ａに、Ｎチャンネルを選択する操作信号を送信するとともに、トランシーバ２００Ａにも、Ｎチャンネルを選択する操作信号を送信する。
【００７４】
トランシーバ２００Ａは、リモコン３１０Ａから受けた地上波デジタル放送のＮチャンネルを選択する操作信号をホームゲートウェイ１００に送信する。
【００７５】
ホームゲートウェイ１００は、トランシーバ２００Ａから受けた操作信号で示されるＮチャンネルに相当する放送のＨ．２６４方式のＴＳ信号の配信をＭＰＥＧ−２／Ｈ．２６４トランスコーダ４００に要求する。
【００７６】
ＭＰＥＧ−２／Ｈ．２６４トランスコーダ４００は、ホームゲートウェイ１００からの要求に応じて、Ｎチャンネルに相当する地上波デジタル放送を、インターネット６００を介してホームゲートウェイ１００にマルチキャスト配信する。
【００７７】
ホームゲートウェイ１００は、ＬＡＮインターフェイス１５１によって、ＭＰＥＧ−２／Ｈ．２６４トランスコーダ４００からマルチキャスト配信されたＮチャンネルに相当する地上波デジタル放送のＨ．２６４方式のＴＳ信号を受信し、Ｈ．２６４／ＭＰＥＧ−２トランスコーダ１１１によって、受信したＴＳ信号をＭＰＥＧ−２方式のＴＳ信号に変換し、地上波変調部１４１によって、変換したＭＰＥＧ−２方式のＴＳ信号をＮチャンネルの放送用信号としてＯＦＤＭ変調し、送信部１４２によって、混合器７１０、分配器７２０、および、同軸ケーブル７３０を介して、テレビ３００Ａに送信する。
【００７８】
テレビ３００Ａは、リモコン３１０Ａからの操作信号に従って、Ｎチャンネルを受信するようにチューナを制御し、ホームゲートウェイ１００から受けたＮチャンネルの放送用信号を受信し、放送用信号をＭＰＥＧ−２方式のＴＳ信号に復調し、ＭＰＥＧ−２方式のＴＳ信号をＮチャンネルの映像信号および音声信号に復号し、復号された映像信号で示される映像を表示し、音声信号で示される音声を出力する。
【００７９】
なお、本実施の形態においては、ホームゲートウェイ１００に、Ｈ．２６４／ＭＰＥＧ−２トランスコーダ１１１および地上波変調部１４１の構成が１組しか搭載されていないので、建物１０内に複数のテレビ３００があっても、ホームゲートウェイ１００を介した放送は、１つのチャンネルしか表示させることができない。
【００８０】
しかし、ホームゲートウェイ１００に、Ｈ．２６４／ＭＰＥＧ−２トランスコーダ１１１および地上波変調部１４１の構成を複数組（たとえば、３組）搭載することによって、建物１０内に複数（たとえば、３台以内）のテレビ３００があっても、ホームゲートウェイ１００を介した別々のチャンネルの放送をそれぞれ表示させることができる。
【００８１】
リモコン３１０Ｄは、ユーザによるＮチャンネルを選択するためのボタンの操作に応じて、テレビ３００Ｄに、Ｎチャンネルを選択する操作信号を送信する。
【００８２】
テレビ３００Ｄは、リモコン３１０Ｄから受けた操作信号を、建物１０内のＬＡＮ回線を介して、ホームゲートウェイ１００に送信する。なお、トランシーバ２００がテレビ３００Ｄの近傍に設置されている場合は、テレビ３００Ｄとトランシーバ２００とをＬＡＮケーブルで接続して、テレビ３００Ｄからトランシーバ２００を介してホームゲートウェイ１００にＬＡＮで、操作信号を送信するようにしてもよい。
【００８３】
ホームゲートウェイ１００は、テレビ３００Ｄから受けた操作信号で示されるＮチャンネルに相当する放送のＨ．２６４方式のＴＳ信号の配信をＭＰＥＧ−２／Ｈ．２６４トランスコーダ４００に要求する。
【００８４】
ＭＰＥＧ−２／Ｈ．２６４トランスコーダ４００は、ホームゲートウェイ１００からの要求に応じて、Ｎチャンネルに相当する地上波デジタル放送を、インターネット６００を介してホームゲートウェイ１００にマルチキャスト配信する。
【００８５】
ホームゲートウェイ１００は、ＬＡＮインターフェイス１５１によって、ＭＰＥＧ−２／Ｈ．２６４トランスコーダ４００からマルチキャスト配信されたＮチャンネルに相当する地上波デジタル放送のＨ．２６４方式のＴＳ信号を受信し、Ｈ．２６４／ＭＰＥＧ−２トランスコーダ１１１によって、受信したＴＳ信号をＭＰＥＧ−２方式のＴＳ信号に変換する。
【００８６】
また、ホームゲートウェイ１００は、テレビ３００Ｄから受けた操作信号に応じて、グラフィックコントローラ１１４によって、操作信号で示されるチャンネル番号表示とチャンネル番号を切替えるアイコン表示とを含むＯＳＤ（On Screen Display）画面を生成し、ＭＰＥＧ−２エンコーダ１１５によって、生成したＯＳＤ画面を符号化し、映像合成部１１３によって、符号化したＯＳＤ画面を、Ｎチャンネルに相当する地上波デジタル放送のＭＰＥＧ−２方式のＴＳ信号で示される映像と合成する。
【００８７】
また、ホームゲートウェイ１００は、地上波変調部１４１によって、ＯＳＤ画面が合成されたＭＰＥＧ−２方式のＴＳ信号を、Ｎチャンネルの放送用信号としてＯＦＤＭ変調し、送信部１４２によって、混合器７１０、分配器７２０、および、同軸ケーブル７３０を介して、テレビ３００Ｄに送信する。
【００８８】
テレビ３００Ｄは、リモコン３１０Ｄからの操作信号に従って、Ｎチャンネルを受信するようにチューナを制御し、ホームゲートウェイ１００から受けたＮチャンネルの放送用信号を受信し、放送用信号をＭＰＥＧ−２方式のＴＳ信号に復調し、ＭＰＥＧ−２方式のＴＳ信号をＮチャンネルの映像信号および音声信号に復号し、復号された映像信号で示されるＮチャンネルの映像の上にＯＳＤ画面が重畳された映像を表示し、音声信号で示される音声を出力する。
【００８９】
図４は、この実施の形態におけるホームゲートウェイシステムでのＶＯＤ映像の視聴について説明するための図である。
【００９０】
図４を参照して、ホームゲートウェイ１００は、ＣＰＵ１１０のウェブブラウザ機能によって、テレビ３００Ｂから受けた操作信号に応じて、ＶＯＤサーバ５００からメニューのウェブ画面を取得し、グラフィックコントローラ１１４によって、メニューのウェブ画面のＯＳＤ画面を生成し、ＭＰＥＧ−２エンコーダ１１５によって、生成したＯＳＤ画面を符号化し、映像合成部１１３によって、符号化したＯＳＤ画面を、ＶＯＤサーバ５００から受信中の映像と合成する。
【００９１】
また、ホームゲートウェイ１００は、地上波変調部１４１によって、ＯＳＤ画面が合成された映像のＭＰＥＧ−弐方式のＴＳ信号を、空きチャンネルの放送用信号としてＯＦＤＭ変調し、送信部１４２によって、混合器７１０、分配器７２０、および、同軸ケーブル７３０を介して、テレビ３００Ｂに送信する。
【００９２】
テレビ３００Ｂは、ホームゲートウェイ１００から受けた放送用信号を受信し、放送用信号をＭＰＥＧ−２方式のＴＳ信号に復調し、ＭＰＥＧ−２方式のＴＳ信号を映像信号および音声信号に復号し、復号された映像信号で示されるＶＯＤサーバ５００からの映像の上にＯＳＤ画面が重畳された映像を表示し、音声信号で示される音声を出力する。
【００９３】
キーボード８３０Ｂやマウス８４０Ｂは、ユーザによるＶＯＤサーバ５００に記録されている映像を選択するためのメニュー画面の操作に応じて、トランシーバ２００Ｂに、ユーザの所望の映像を選択する操作信号を送信する。
【００９４】
トランシーバ２００Ｂは、キーボード８３０Ｂやマウス８４０Ｂから受けた所望の映像を選択する操作信号をホームゲートウェイ１００に送信する。
【００９５】
ホームゲートウェイ１００は、トランシーバ２００Ｂから受けた操作信号で示される映像のＨ．２６４方式またはＭＰＥＧ−２方式のＴＳ信号の配信をＶＯＤサーバ５００に要求する。
【００９６】
ＶＯＤサーバ５００は、ホームゲートウェイ１００からの要求に応じて、ユーザの所望する映像を、インターネット６００を介してホームゲートウェイ１００にユニキャスト配信する。
【００９７】
ホームゲートウェイ１００は、ＬＡＮインターフェイス１５１によって、ＶＯＤサーバ５００からユニキャスト配信されたユーザの所望する映像のＨ．２６４方式またはＭＰＥＧ−２方式のＴＳ信号を受信し、Ｈ．２６４方式のＴＳ信号の場合は、Ｈ．２６４／ＭＰＥＧ−２トランスコーダ１１１によって、受信したＴＳ信号をＭＰＥＧ−２方式のＴＳ信号に変換する。
【００９８】
また、ホームゲートウェイ１００は、映像合成部１１３によって、符号化したＯＳＤ画面を、変換したＭＰＥＧ−２方式のＴＳ信号、または、受信したＭＰＥＧ−２方式のＴＳ信号と合成し、地上波変調部１４１によって、合成したＴＳ信号を、空きチャンネルの放送用信号としてＯＦＤＭ変調し、送信部１４２によって、混合器７１０、分配器７２０、および、同軸ケーブル７３０を介して、テレビ３００Ｂに配信する。
【００９９】
図５は、この実施の形態におけるホームゲートウェイシステムでのＰＣのリモート操作について説明するための図である。
【０１００】
図５を参照して、キーボード８３０Ｅやマウス８４０Ｅは、ユーザによる操作に応じて、トランシーバ２００Ｅに、ユーザの操作を示す操作信号を送信する。
【０１０１】
トランシーバ２００Ｅは、キーボード８３０Ｅやマウス８４０Ｂから受けた操作信号をホームゲートウェイ１００に送信する。
【０１０２】
ホームゲートウェイ１００は、トランシーバ２００Ｅから受けた操作信号を、ＬＡＮインターフェイス１５１に接続されたＨＵＢ９６０を介して、ＰＣ（Personal Computer）９５０に送信する。
【０１０３】
ＰＣ９５０は、ホームゲートウェイ１００から受信した操作信号に従って所定の処理を実行する。そして、ＰＣ９５０は、所定の処理の処理結果を、ＨＵＢ９６０を介して、ホームゲートウェイ１００に送信する。
【０１０４】
ホームゲートウェイ１００は、ＬＡＮインターフェイス１５１によって、ＰＣ９５０からの操作信号に対する処理結果を受信し、グラフィックコントローラ１１４によって、処理結果に応じた画面を生成し、ＭＰＥＧ−２エンコーダ１１５によって、生成した画面をＭＰＥＧ−２方式のＴＳ信号に符号化し、地上波変調部１４１によって、符号化されたＴＳ信号を、空きチャンネルの放送用信号としてＯＦＤＭ変調し、送信部１４２によって、混合器７１０、分配器７２０、および、同軸ケーブル７３０を介して、テレビ３００Ｅに送信する。
【０１０５】
テレビ３００Ｅは、ホームゲートウェイ１００から受けた放送用信号を受信し、放送用信号をＭＰＥＧ−２方式のＴＳ信号に復調し、ＭＰＥＧ−２方式のＴＳ信号を映像信号および音声信号に復号し、復号された映像信号で示されるＰＣ９５０での処理結果を示す画像を画面Ａとして表示し、復号された音声信号で示されるＰＣ９５０での処理結果を示す音声を出力する。
【０１０６】
同様に、テレビ３００Ｆは、キーボード８３０Ｆやマウス８４０Ｆからの操作信号に応じた処理結果を示す画像を画面Ｂとして表示する。
【０１０７】
図６は、この実施の形態におけるホームゲートウェイシステムのテレビ電話機能について説明するための図である。
【０１０８】
図６を参照して、キーボードなどの入力機器は、ユーザにより入力された電話番号を示す電話番号信号をトランシーバ２００Ａに送信する。カメラ８１０は、ユーザの姿の映像を撮像して、撮像した映像を示す映像信号をトランシーバ２００Ａに送信する。ヘッドセット８２０は、ユーザの発した音声を集音して、集音した音声を示す音声信号をトランシーバ２００Ａに送信する。
【０１０９】
トランシーバ２００Ａは、キーボードなどの入力機器から受信した電話番号信号、カメラ８１０から受信した映像信号、および、ヘッドセット８２０から受信した音声信号をホームゲートウェイ１００に送信する。
【０１１０】
ホームゲートウェイ１００は、受信した電話番号が内線番号であれば、内線番号で示される建物１０内の他の電話機８５０を呼出す。そして、ホームゲートウェイ１００は、電話機８５０のフックが上げられると、カメラ８１０とヘッドセット８２０とからなるテレビ電話セットと、電話機８５０との通信の接続を確立する。
【０１１１】
次いで、ホームゲートウェイ１００は、トランシーバ２００Ａから受信した音声信号を電話機８５０に送信する。なお、電話機８５０は、映像を表示する機能がないため、ホームゲートウェイ１００は、トランシーバ２００Ａから受信した映像信号は電話機８５０に送信しない。
【０１１２】
電話機８５０は、ホームゲートウェイ１００から受信した音声信号が示すヘッドセット８２０のマイクで集音された音声を受話器のスピーカから出力する。また、電話機８５０は、ユーザの発した音声を受話器のマイクで集音し、集音した音声を示す音声信号をホームゲートウェイ１００に送信する。
【０１１３】
ホームゲートウェイ１００は、電話機８５０から受信した音声信号をトランシーバ２００Ａに送信する。なお、ホームゲートウェイ１００は、電話機８５０から受信した音声信号をテレビ３００Ａに送信するようにしてもよい。この場合は、テレビ３００Ａは、ホームゲートウェイ１００から受信した音声信号で示される音声をテレビ３００Ａのスピーカから出力する。
【０１１４】
トランシーバ２００Ａは、ホームゲートウェイ１００から受信した音声信号をヘッドセット８２０に送信する。
【０１１５】
ヘッドセット８２０は、トランシーバ２００Ａから受信した音声信号で示される音声をヘッドセット８２０のヘッドフォン部から出力する。
【０１１６】
ホームゲートウェイ１００は、受信した電話番号が外線番号であれば、外線番号で示される相手側の電話機を呼出す要求を、インターネット６００を介して外部のＳＩＰサーバ６５０に送信する。
【０１１７】
ＳＩＰサーバ６５０は、ホームゲートウェイ１００からの電話番号で示される相手側の電話機を呼出す。ここでは、相手側の電話機は、テレビ電話機能を有するものとする。ＳＩＰサーバ６５０は、相手側の電話機のオンフック状態にされると、カメラ８１０とヘッドセット８２０とからなるテレビ電話セットと、相手側の電話機との通信の接続を確立する。
【０１１８】
ホームゲートウェイ１００は、ＬＡＮインターフェイス１５１によって、カメラ８１０からの映像信号およびヘッドセット８２０からの音声信号を、ＳＩＰサーバ６５０を介して、相手側の電話機に送信する。
【０１１９】
ホームゲートウェイ１００は、ＬＡＮインターフェイス１５１によって、相手側の電話機から映像信号および音声信号を受信する。そして、ホームゲートウェイ１００は、トランシーバインターフェイス１５２によって、受信した音声信号をトランシーバ２００Ａに送信する。
【０１２０】
また、ホームゲートウェイ１００は、地上波変調部１４１によって、受信したＭＰＥＧ−２方式のＴＳ信号である映像信号を、空きチャンネルの放送用信号としてＯＦＤＭ変調し、送信部１４２によって、混合器７１０、分配器７２０、および、同軸ケーブル７３０を介して、テレビ３００Ａに送信する。なお、映像信号と合わせて、受信した音声信号もＯＦＤＭ変調し、テレビ３００Ａに送信するようにしてもよい。
【０１２１】
テレビ３００Ａは、ホームゲートウェイ１００から受けた放送用信号を受信し、放送用信号をＭＰＥＧ−２方式のＴＳ信号に復調し、ＭＰＥＧ−２方式のＴＳ信号を映像信号に復号し、復号された映像信号で示される相手側の電話機のユーザの映像を表示する。また、テレビ３００Ａは、放送用信号に音声信号も含まれる場合に、音声信号も復号し、復号された音声信号で示される相手側の電話機のユーザの音声を出力するようにしてもよい。
【０１２２】
トランシーバ２００Ａは、ホームゲートウェイ１００から受信した音声信号をヘッドセット８２０に送信する。
【０１２３】
ヘッドセット８２０は、トランシーバ２００Ａから受信した音声信号で示される相手側の電話機のユーザの音声をヘッドフォン部から出力する。
【０１２４】
以上説明したように、本実施の形態におけるホームゲートウェイ１００によれば、図３および図４で説明したように、ＬＡＮインターフェイス１５１によって、Ｈ．２６４方式で映像が符号化されたＴＳ信号がインターネット６００を介して受信され、Ｈ．２６４／ＭＰＥＧ−２トランスコーダ１１１によって、ＴＳ信号がテレビ３００Ａ，３００Ｂで復号可能なＭＰＥＧ−２方式のＴＳ信号に変換され、地上波変調部１４１によって、ＴＳ信号がそのＴＳ信号の放送が放送されているチャンネルまたは空きチャンネルの放送用信号に変調され、送信部１４２によって、放送用信号が複数のテレビ３００Ａ，３００Ｂに送信される。
【０１２５】
その結果、テレビ３００Ａ，３００Ｂで復号可能なＭＰＥＧ−２方式のＴＳ信号に変換する装置をテレビ３００Ａ，３００Ｂごとに設けなくてもＨ．２６４方式のＴＳ信号で示される映像を複数のテレビ３００Ａ，３００Ｂで視聴可能とすることができる。
【０１２６】
また、ホームゲートウェイ１００によれば、図３で説明したように、複数のＴＳ信号が受信され、受信された複数のＴＳ信号がそれぞれＭＰＥＧ−２方式のＴＳ信号に変換され、変換された複数のＴＳ信号がそれぞれ異なるチャンネルの放送用信号に変調され、変調された複数の放送用信号が送信されるようにしてもよい。その結果、複数のＴＳ信号で示される映像をそれぞれ複数のテレビで視聴可能とすることができる。
【０１２７】
また、ホームゲートウェイ１００によれば、図３および図４で説明したように、トランシーバ２００Ａ，２００Ｂまたはテレビ３００Ｄによって、映像を別の映像に切替える切替指示が受信され、ＣＰＵ１１０によって、切替指示で示される映像を受信するように、ＬＡＮインターフェイス１５１が制御される。その結果、切替指示に応じた映像を所定のテレビ３００Ａ，３００Ｂ，３００Ｄで視聴可能とすることができる。
【０１２８】
さらに、ホームゲートウェイ１００によれば、図３で説明したように、テレビ３００Ｄから切替指示が受信される。テレビ３００Ｄには、テレビ３００Ｄに予め備えられたリモコン３１０Ｄから切替指示が入力される。このため、切替指示を受信するためのトランシーバ２００を備える必要がない。その結果、コストを掛けずに、切替指示に応じた映像を所定のテレビ３００Ｄで視聴可能とすることができる。
【０１２９】
さらに、ホームゲートウェイ１００によれば、図３で説明したように、映像を別の映像に切替える切替指示を受付ける機器であって本体とは別体として設けられるトランシーバ２００Ａが備えられる。そして、トランシーバインターフェイス１５２によって、受付けられた切替指示がトランシーバ２００Ａから受信される。
【０１３０】
このように、テレビ３００Ａの近傍に設置される専用のトランシーバ２００Ａが用いられて切替指示が受付けられる。このため、どのようなテレビであっても、テレビとホームゲートウェイとの間で信号がやり取りされるのではなくて、トランシーバ２００Ａとトランシーバインターフェイス１５２との間で信号がやり取りされるので、やり取りされる信号を、テレビに応じて変える必要がなく、予め定められた信号とすることができる。その結果、切替指示のやり取りを容易に行なうことができる。
【０１３１】
さらに、ホームゲートウェイ１００によれば、図６で説明したように、ＣＰＵ１１０によって、ＳＩＰで先方側電話機との通信の接続が確立され、トランシーバインターフェイス１５２によって、カメラ８１０およびヘッドセット８２０のマイクから受信された当方側の映像信号および音声信号がトランシーバ２００Ａから受信され、ＬＡＮインターフェイス１５１によって、当方側の映像信号および音声信号が、通信の接続が確立された先方側の電話機に送信され、ＬＡＮインターフェイス１５１によって、先方側の映像信号および音声信号が受信され、Ｈ．２６４／ＭＰＥＧ−２トランスコーダ１１１によって、先方側の映像信号および音声信号がＭＰＥＧ−２方式のＴＳ信号でなければＭＰＥＧ−２方式のＴＳ信号に変換され、地上波変調部１４１によって、ＴＳ信号が変調される。
【０１３２】
このため、カメラ８１０およびヘッドセット８２０のマイクから入力された当方の映像および音声が先方に送信され、先方の映像および音声がテレビ３００Ａに送信される。その結果、当方の映像および音声を先方で出力させることができ、先方の映像および音声をテレビ３００Ａで視聴可能とすることができる。
【０１３３】
さらに、ホームゲートウェイ１００によれば、図５で説明したように、トランシーバインターフェイス１５２によって、トランシーバ２００Ｅ，２００Ｆによって受信されたキーボード８３０Ｅ，８３０Ｆおよびマウス８４０Ｅ，８４０Ｆからの操作信号がトランシーバ２００Ｅ，２００Ｆから受信され、ＬＡＮインターフェイス１５１によって、操作信号がＰＣ９５０に送信され、ＬＡＮインターフェイス１５１によって、操作信号に対する処理結果がＰＣ９５０から受信され、ＭＰＥＧ−２エンコーダ１１５によって、処理結果がＭＰＥＧ−２方式のＴＳ信号に変換され、地上波変調部１４１によって、ＴＳ信号が放送用信号に変調される。
【０１３４】
このため、キーボード８３０Ｅ，８３０Ｆおよびマウス８４０Ｅ，８４０Ｆから入力された操作信号がトランシーバ２００Ｅ，２００Ｆおよびホームゲートウェイ１００を介してＰＣ９５０に入力され、ＰＣ９５０での操作信号に対する処理結果がホームゲートウェイ１００を介してテレビ３００Ｅ，３００Ｆに送信される。その結果、テレビ３００Ｅ，３００ＦをＰＣ９５０のディスプレイのように用いることができる。
【０１３５】
さらに、ホームゲートウェイ１００によれば、図４で説明したように、トランシーバインターフェイス１５２によって、トランシーバ２００Ｂによって受信されたキーボード８３０Ｂおよびマウス８４０Ｂからの操作信号がトランシーバ２００Ｂから受信され、ＣＰＵ１１０によって、操作信号に基づいて、所定の機能が実行され、ＭＰＥＧ−２エンコーダ１１５によって、所定の機能の実行結果がＭＰＥＧ−２方式のＴＳ信号に変換され、地上波変調部１４１によって、ＴＳ信号が放送用信号に変調される。ここで、所定の機能は、ウェブブラウザ機能である。
【０１３６】
このため、キーボード８３０Ｂおよびマウス８４０Ｂから入力された操作信号がトランシーバ２００Ｂを介してホームゲートウェイ１００に入力され、ホームゲートウェイ１００によって実行された所定の機能の実行結果がテレビ３００Ｂに送信される。その結果、テレビ３００Ｂを所定の機能の表示結果を表示させるためのディスプレイのように用いることができる。
【０１３７】
さらに、ホームゲートウェイ１００によれば、図１で説明したように、トランシーバインターフェイス１５２によって、建物１０内に敷設された同軸ケーブル７３０を介して切替指示が受信される。
【０１３８】
このため、新たに切替指示を受信するためのケーブルを敷設しなくても切替指示を受信することができる。このため、ホームゲートウェイ１００を導入する再のコストを抑えることができる。
【０１３９】
なお、本実施の形態においては、同軸ケーブル７３０を用いるようにしたが、これに限定されず、電力線を用いるようにしてもよい。また、本実施の形態においては、同軸ケーブル７３０を用いて有線で切替指示が受信されるようにしたが、これに限定されず、無線で切替指示が受信されるようにしてもよい。
【０１４０】
さらに、ホームゲートウェイ１００によれば、送信部１４２によって、建物１０内に敷設された同軸ケーブル８３０を介して放送用信号が送信されるようにした。しかし、これに限定されず、建物１０内に敷設された電力線を介して放送用信号が送信されるようにしてもよい。また、無線で放送用信号が送信されるようにしてもよい。
【０１４１】
また、本実施の形態においては、ホームゲートウェイ１００として発明を説明した。しかし、発明をホームゲートウェイ１００およびトランシーバ２００を含むホームゲートウェイシステムの発明と捉えてもよいし、ホームゲートウェイ１００で実行される中継方法または中継プログラムの発明と捉えてもよい。
【０１４２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１４３】
【図１】この発明の実施の形態におけるホームゲートウェイシステムの概略を説明するための概略図である。
【図２】この発明の実施の形態におけるホームゲートウェイシステムの機能の概略を示す機能ブロック図である。
【図３】この実施の形態におけるホームゲートウェイシステムでの再配信映像の視聴について説明するための図である。
【図４】この実施の形態におけるホームゲートウェイシステムでのＶＯＤ映像の視聴について説明するための図である。
【図５】この実施の形態におけるホームゲートウェイシステムでのＰＣのリモート操作について説明するための図である。
【図６】この実施の形態におけるホームゲートウェイシステムのテレビ電話機能について説明するための図である。
【符号の説明】
【０１４４】
１０  建物、１００  ホームゲートウェイ、１１０  ＣＰＵ、１１１  Ｈ．２６４／ＭＰＥＧ−２トランスコーダ、１１３  映像合成部、１１４  グラフィックコントローラ、１１５  ＭＰＥＧ−２エンコーダ、１１６  チャンネル指定部、１４１  地上波変調部、１４２  送信部、１５１  ＬＡＮインターフェイス、１５２  トランシーバインターフェイス、１５３  ＩＰ電話インターフェイス、２００Ａ〜２００Ｃ，２００Ｅ，２００Ｆ  トランシーバ、２５１  ＬＡＮインターフェイス、２５２  トランシーバインターフェイス、２５３  リモコンインターフェイス、２５４  無線ＬＡＮインターフェイス、２５５  キーボード・マウスインターフェイス、３００，３００Ａ〜３００Ｆ  テレビ、３１０，３１０Ａ，３１０Ｄ  リモコン、４００  ＭＰＥＧ−２／Ｈ．２６４トランスコーダ、４１０  地上波デジタル放送用アンテナ、５００  ＶＯＤサーバ、６００  インターネット、６５０  ＳＩＰサーバ、７１０  混合器、７２０  分配器、７３０  同軸ケーブル、７４０  地上波放送用アンテナ、７５０  衛星波放送用アンテナ、８１０  カメラ、８２０  ヘッドセット、８３０，８３０Ｂ，８３０Ｅ，８３０Ｆ  キーボード、８４０，８４０Ｂ，８４０Ｅ，８４０Ｆ  マウス、８５０  電話機、８６０  コードレス電話機、９００  パソコン、９５０  ＰＣ、９６０  ＨＵＢ。
【図１】
2007259087.tif 000003
【図２】
2007259087.tif 000004
【図３】
2007259087.tif 000005
【図４】
2007259087.tif 000006
【図５】
2007259087.tif 000007
【図６】
2007259087.tif 000008